(57)【要約】【課題】防水機能を備えたカラオケユニットを提供する。【解決手段】蓋と、当該蓋が勘合し密封状態とする段部を備えた本体と、上記本体の内部に配設され携帯電話機が支持される支持部と、上記蓋或いは本体に配設され上記携帯電話機からの音声を出力するスピーカと、上記蓋或いは本体の外周面の一部に形成され上記携帯電話機の操作部を外部から操作するための操作窓と、上記蓋或いは本体の外周面の一部に形成され上記携帯電話機の表示部を拡大して表示する魚眼レンズ７と、を有する防水機能を備えたカラオケユニットである。【選択図】      図１
0003123601.tif 000002
【実用新案登録請求の範囲】
【請求項１】
蓋と、当該蓋が勘合し密封状態とする段部を備えた本体と、上記本体の内部に配設され携帯電話機が支持される支持部と、上記蓋或いは本体に配設され上記携帯電話機からの音声を出力するスピーカと、上記蓋或いは本体の外周面の一部に形成され上記携帯電話機の操作部を外部から操作するための操作窓と、上記蓋或いは本体の外周面の一部に形成され上記携帯電話機の表示画面を拡大して表示する魚眼レンズと、を有する防水機能を備えたカラオケユニット。
【請求項２】
上記魚眼レンズは、上記蓋或いは本体の外周面の一部に蛇腹部を介して設けられており、当該蛇腹部により角度調整可能である請求項１に記載の防水機能を備えたカラオケユニット。
【請求項３】
上記魚眼レンズは、携帯電話機の表示画面を視認可能な上記蓋或いは本体の透明な表示部の両端に設けたレール上をスライド可能である請求項１に記載の防水機能を備えたカラオケユニット。
【請求項４】
上記魚眼レンズは、携帯電話機の表示画面を視認可能な上記蓋或いは本体の透明な表示部上の任意の場所に着脱可能である請求項１に記載の防水機能を備えたカラオケユニット。
【請求項５】
上記支持部は、上記携帯電話機が上記本体に収納したときに当該携帯電話機の背面に位置する部分を高反発の弾性支持部材で覆った構成である、請求項１に記載のカラオケユニット。
【考案の詳細な説明】
【技術分野】
【０００１】
本考案は、防水機能を備えたカラオケユニットに関する。
【背景技術】
【０００２】
従来、カラオケは娯楽の一つとして幅広く市場に浸透しているが、今日では携帯電話機を用いて簡易にカラオケ用の演奏や歌詞等の表示が行えるようになっている。
【０００３】
この種の技術としては、例えば特許文献１に携帯電話機とは別のマイク付き装置を用いることなく、カラオケ用の楽曲、音声及び画像を当該携帯電話機から外部出力装置に出力することができるカラオケシステムが開示されている。
【特許文献１】特開２００５−３００８６３号公報
【考案の開示】
【考案が解決しようとする課題】
【０００４】
しかしながら、上記特許文献１に開示の技術をはじめ、従来技術では、携帯電話機を用いてカラオケを実施する場合でも、例えば浴室等、防水機能が実現されていないと実施不可能な環境下で実施することは想定されておらず、その実現が嘱望されている。
【０００５】
本考案は、防水機能を備えたカラオケユニットを提供することを目的とする。
【課題を解決するための手段】
【０００６】
本考案の一態様によれば、蓋と、当該蓋が勘合し密封状態とする段部を備えた本体と、上記本体の内部に配設され携帯電話機が支持される支持部と、上記蓋或いは本体に配設され上記携帯電話機からの音声を出力するスピーカと、上記蓋或いは本体の外周面の一部に形成され上記携帯電話機の操作部を外部から操作するための操作窓と、上記蓋或いは本体の外周面の一部に形成され上記携帯電話機の表示画面を拡大して表示する魚眼レンズと、を有する防水機能を備えたカラオケユニットが提供される。
【０００７】
この態様において、上記魚眼レンズは、上記蓋或いは本体の外周面の一部に蛇腹部を介して設けられており、当該蛇腹部により角度調整可能であることとしてもよい。
【０００８】
また、この態様において、上記魚眼レンズは、携帯電話機の表示画面を視認可能な上記蓋或いは本体の透明な表示部の両端に設けたレール上をスライド可能であることとしてもよい。
【０００９】
更に、この態様において、上記魚眼レンズは、携帯電話機の表示画面を視認可能な上記蓋或いは本体の透明な表示部上の任意の場所に着脱可能であることとしてもよい。
【考案の効果】
【００１０】
本考案によれば、防水機能を備えたカラオケユニットを提供することができる。
【考案を実施するための最良の形態】
【００１１】
以下、添付図面を参照して、本考案の第1の実施の形態について説明する。
【００１２】
図１には本考案の第一の実施の形態に係る防水機能を備えたカラオケユニットの斜視図を示し、図２には当該カラオケユニットの断面図を示し、その構成及び作用を説明する。
【００１３】
このカラオケユニット１は、その内部が中空で円筒型である蓋２と、同様にその内部が中空で円筒型である本体３とを備えており、この蓋２の内周面の下方端部が本体３の段部４に密接に勘合する構成となっている。このような関係により、その内部に水等が浸入するのを防止している。つまり、防水機能を実現している。このような目的から、本体３の段部４は、蓋２と本体３とを密封すべく、ゴム等の弾性部材で構成されている。
【００１４】
蓋２の上面にはスピーカ５が配設されており、当該スピーカ５から延出されたコード１４は、携帯電話機１０のイヤホンジャック部１３に電気的に接続される。尚、このスピーカーは本体３に設けてもよい。
【００１５】
蓋２の外周面の一部には、蛇腹部６が配設されている。そして、この蛇腹部６の内部には、魚眼レンズ７が当該蛇腹部６により角度調整可能な状態で固着されている。本体３の内部底面には、携帯電話機１０を装着するための支持部９が設けられている。
【００１６】
図２に示されるように、携帯電話機１０を支持部９に装着した状態では、魚眼レンズ７の後面に携帯電話機１０の表示画面１１が位置し、操作窓８の後面に携帯電話機１０の操作部１２が位置する関係が成立する。携帯電話機１０の種類により表示画面１１や操作部１２の大きさ、位置は異なるが、魚眼レンズ７は、前述したように蛇腹部６により角度調整可能となっているので、ユーザは、適宜、位置合わせを行うことができ、魚眼レンズを通して携帯電話機10の表示画面11を視認することができる。
【００１７】
また、操作窓８としては、柔軟性を有するで透明な部材が採用されるので、ユーザは当該操作窓８越しに当該操作窓８の後方に位置する携帯電話機１０の操作部１２のボタンを指で押下する等、適宜操作を行うことが可能である。
【００１８】
このような構成において、実際に使用する場合には、携帯電話機１０を用いてカラオケダウンロード用のＷｅｂサイトにアクセスし、所望とする楽曲のファイルをダウンロードする。そして、本体３の内部底面に配設されている支持部９に携帯電話機１０の下部を装着し、スピーカ５から延出されているコードを当該携帯電話機１０のイヤホンジャック部１３に接続し、本体３の段部４に蓋２の内周面の下方端部を勘合させて密封状態とする。    
そして、操作窓８を介して携帯電話機１０の操作部１２を操作することでカラオケ用の楽曲の演奏を開始する。これ以降、楽曲を変更する場合には、適宜、操作窓８を介して携帯電話機１０の操作部１２を操作し、ダウンロードした所望とする楽曲の演奏を開始させればよい。尚、ここではその実施例として携帯電話機を使用しているが、これに限定するものではなく、歌詞など表示が可能な携帯式の音楽再生機器への適用が可能である。
【００１９】
このように、前述した第１の実施形態では、円筒型の蓋２及び本体３からなるカラオケユニットを例示したが、これに限定されないことは勿論である。更に、前述した魚眼レンズ７を固着する蛇腹部６の仕様はこれに限定するものではない。
【００２０】
次に本考案の第２の実施の形態について説明する。図３は第２の実施の形態に係るカラオケユニットの斜視図である。
【００２１】
同図に示されるように、このカラオケユニット２１は、蓋３０及び本体３１が、軸部３２を回動中心として図中矢印Ａで示す方向に開閉自在となっており、閉じた状態では、防水パッキン２８により防水性が実現される。尚、図示していないが、本体３１には段部が設けられており、これにより蓋３０と本体３１を密接に勘合する構成となっている。蓋３０及び本体３１により構成される直方体は、その内部に携帯電話機を配置可能なように中空になっている。蓋３０の外周面には、透明なウレタンゴム等柔軟性を有する部材からなる操作窓２６、透明なフィルム等からなる表示部２３が形成されており、更に、この表示部の長手方向、両端には２本のレール２４が設けられている。そして、このレール２４上には魚眼レンズ２２が図中矢印Ｂで示す方向に移動自在に保持される。表示部２３と操作窓２６の間の領域には防水スピーカ２５が配設されており、さらに、蓋３０の上記外周面の操作窓２６配設側の最端部には防水通話用マイク２７が設けられている。第２の本体３１の外周面には、吸盤２９が設けられており、浴槽壁等の所望とする位置に本カラオケユニット２１を吸着することが可能となっている。以上のような構成によれば、携帯電話機の種類により表示画面の位置が異なっても、魚眼レンズ２２がレール２４により可動式である為、前記魚眼レンズ２２を好適な位置に移動することができる。尚、魚眼レンズ２２を任意の位置で掛止することが可能であることは勿論である。
【００２２】
次に、本考案の第３の実施の形態について説明する。
【００２３】
図４は第３の実施の形態に係るカラオケユニットに用いる魚眼レンズの斜視図である。
【００２４】
この第３の実施の形態は、基本的な構成は前述した第２の実施の形態と同様であり、レール２４の上に魚眼レンズ２２を移動自在に配設していた構成を、図４に示されるような吸盤３４を備えた魚眼レンズ３３に変更するものである。即ち、この第３の実施の形態では、カラオケユニット本体を略矩形とし、その本体の外周面に設けた透明な表示部に着脱手段としての吸盤３４で魚眼レンズ３３を取り付ける。以上のような構成によれば、携帯電話機の種類により表示画面の位置が異なっても魚眼レンズ３３が着脱式であることから、好適な位置に設置を適宜変更可能となる。尚、着脱手段としては、前述した吸盤に限定されることなく、公知の種々の着脱手段が選択可能である。
【００２５】
次に、本考案の第４の実施の形態について説明する。
【００２６】
図５は、第４の実施の形態に係るレンズユニットの一部断面図である。
【００２７】
この第４の実施の形態は、前記した第２、第３の実施の形態に係るカラオケユニットと同様略矩形とし、蓋４４、本体４５と軸部４６の構成からなり、前記軸部４６は回動の中心として矢印Ａ’で示す方向に開閉自在となっている。
【００２８】
前記した第１の実施の形態では、携帯電話機の支持部９をカラオケユニット１の本体３の下部に装着する仕様としている。一方、第４の実施の形態では、支持部を図５に示すように、カラオケユニット４０の後部（携帯電話機４２を収納時、その背面に位置する部分）全体を高反発の弾性支持部材４３で覆う仕様とする。この弾性支持素材４３としては、例えばポリウレタンフォームなどが使用可能である。更に、前部は柔軟性を有する透明ゴム素材４１で覆う仕様であるため、携帯電話機の表示画面４２a及び操作部４２ｂが本体外部より視認可能としている。
【００２９】
これにより、携帯電話機４２の形状に関係なく、当該携帯電話機４２をカラオケユニット内に支持可能とし、更に前記弾性支持部材４３は高反発であるため、前面の柔軟性を有する伸縮自在で透明ゴム素材４１を介して操作部４２ｂが押圧操作されても、携帯電話機４２が動くことなく、操作部４２ｂのボタンを押圧することが可能である。
【００３０】
以上説明したように、本考案によれば、携帯電話機等が簡易に着脱自在であり、当該携帯電話機を内部にて支持した状態で、当該携帯電話機を用いたカラオケの演奏、画像表示を行うことができる、防水機能を備えたカラオケユニットが提供される。
【００３１】
すなわち、蓋と、当該蓋が勘合し密封状態とする段部を備えた本体と、上記本体の内部に配設され携帯電話機が支持される支持部と、上記蓋或いは本体に配設され上記携帯電話機からの音声を出力するスピーカと、上記蓋或いは本体の外周面の一部に形成され上記携帯電話機の操作部を外部から操作するための操作窓と、上記蓋或いは本体の外周面の一部に形成され上記携帯電話機の表示画面を拡大して表示する魚眼レンズと、を有する防水機能を備えたカラオケユニットが提供される。
【００３２】
尚、上記魚眼レンズは、上記蓋或いは本体の外周面の一部に蛇腹部を介して設けられており、当該蛇腹部により角度調整可能であることとしてもよい。
【００３３】
また、この態様において、上記魚眼レンズは、携帯電話機の表示画面を視認可能な上記蓋或いは本体の透明な表示部の両端に設けたレール上をスライド可能としてもよい。
【００３４】
更に、この態様において、上記魚眼レンズは、携帯電話機の表示画面を視認可能な上記蓋或いは本体の透明な表示部上の任意の場所に着脱可能であることとしてもよい。
【００３５】
以上、本考案の実施の形態について説明したが、本考案はこれらに限定されることなくその趣旨を逸脱しない範囲で種々の改良・変更が可能であることは勿論である。
【００３６】
例えば、マイクやアンプ装置などの増幅装置を任意で設けてもよい。
【００３７】
更に本考案は、カラオケユニットとしているが、携帯電話機に録画されたコンテンツを観賞したり、ゲームコンテンツを楽しむなど、現在の携帯電話機の有する別な機能にも利用可能であることは勿論である。
【図面の簡単な説明】
【００３８】
【図１】本考案の第１の実施の形態に係るカラオケユニットの斜視図。
【図２】本考案の第１の実施の形態に係るカラオケユニットの断面図。
【図３】本考案の第２の実施の形態に係るカラオケユニットの斜視図。
【図４】本考案の第３の実施の形態に係るカラオケユニットの魚眼レンズの斜視図。
【図５】本考案の第４の実施の形態に係るカラオケユニットの一部断面図。
【符号の説明】
【００３９】
１…カラオケユニット、２…蓋、３…本体、４…段部、５…スピーカ、６…蛇腹部、７…魚眼レンズ、８…操作窓、９…支持部、１０…携帯電話機、１１…表示画面、１２…操作部、１３…イヤホンジャック部、１４…コード。
【図１】
0003123601.tif 000003
【図２】
0003123601.tif 000004
【図３】
0003123601.tif 000005
【図４】
0003123601.tif 000006
【図５】
0003123601.tif 000007